(57)【要約】      （修正有）【課題】さらなる、使用の目的、利便性、用途、或いは各人の好み等を達成可能なリュックサックを提供する。【解決手段】袋部２、袋部２の上端開口に設けた上蓋部、上端開口・上蓋部の間に設けた第１ファスナー５でなるリュックサック１で、蓋部の支点側３ｄは、袋部２の反背中側２ｄｄに縫合し、縫合を反背中側に設け、上蓋部は、支点側３ｄを基（支点軸）にして開放可能としたリュックサック１である。上蓋部の反背中側を、袋部２の反背中側２ｄｄに縫合する構成であって、上蓋部は、反背中側を支点側３ｄとして開放でき、背負った状態では、上蓋部に手を掛けなくても、上端開口の開口状態を維持できる。【選択図】図１
0003218659.tif 000002
【実用新案登録請求の範囲】
【請求項１】
袋部と、この袋部の上端開口を開閉する上蓋部と、この上端開口、及びこの上蓋部の間に設けた第１ファスナーでなるリュックサックにおいて、
この上蓋部の支点側は、前記袋部の反背中側に縫合し、この縫合を前記反背中側に設け、
この上蓋部は、前記支点側を基にして開放可能とすることを特徴としたリュックサック。
【請求項２】
前記袋部の側面側に設けた第２・第３ポケットを開閉する第２・第３ファスナー、及び第２・第３スライダを、この側面側と背中側との縫合部に設けるとともに、この第２・第３スライダを、前記背中側に設けた二本のベルトの端部で隠蔽可能とすることを特徴とした請求項１に記載のリュックサック。
【請求項３】
前記上蓋部の反支点側の表面側に、開閉用の第４ファスナーを設け、この第４ファスナーの開閉で、この上蓋部に設けた第４ポケットを開閉可能とすることを特徴とした請求項１に記載のリュックサック。
【請求項４】
前記上蓋部の裏面側に、開閉用の第５ファスナーを設け、この第５ファスナーの開閉で、この上蓋部の裏面側に設けた第５ポケットを開閉可能とすることを特徴とした請求項１に記載のリュックサック。
【考案の詳細な説明】
【技術分野】
【０００１】
本考案は、リュックサックに関する。
【背景技術】
【０００２】
リュックサックは、使用の目的、利便性、用途、或いは各人の好み等により、種々の形態を備えている。例えば、使用の目的、利便性の観点から考えると、リュックサック（袋部）の大きさ、ポケットの数、及び／又は、その大きさが種々である。その中で、一般の人が使用するものに関しては、人が肩に掛けること、取扱いの容易化、物品の収容等を考慮すると、制約がある。例えば、リュックサックには一定の大きさとか、ポケットの数等が決まってくる。尚、その一方で、使用の利便性、用途、或いは各人の好み等により、特出した形態も少なくない。
【０００３】
このような見地から、先行文献を見てみると、先ず、物品収容の所作が容易な考案に関し、実開平０６−０７５２２４号公報において、蓋部を上面側に、部分的に開閉し（ファスナーで正面側方向に開き可能に形成し）、荷物の出し入れができる構造の提案であって、リュックサックを立てた状態で、隣のリュックサックに邪魔されることなく、物品収容の所作の容易化が達成できる特徴がある。また、実用新案登録第３００７４１０号公報において、リュックサックの本体収容部を、上下側収容部に二分割とし、かつ下側収容部のサイドにポケットを突出させたリュックサックである。そして、ポケットに物品を収容しても本体外方に突出しない構造の提案であって、非使用時には本体収容部の全ての空間を利用することで、外観的な美感性を損なうことのないポケットを有するリュックサックを提供する。さらに、実用新案登録第３２０５９２７号公報において、その袋体の内外を連通させる（袋体を開閉する）手段として背中面（背中側）のみにファスナーを設けた構造の提案であって、防犯性の高いリュックサックを提供する。
【特許文献１】実開平０６−０７５２２４号公報
【特許文献２】実用新案登録第３００７４１０号公報
【特許文献３】実用新案登録第３２０５９２７号公報
【考案の概要】
【考案が解決しようとする課題】
【０００４】
文献１−３においては、今までになかった工夫をすることで、前述した、新しい目的達成と、要望に答え得ると考えられる。しかし、本考案は、さらなる、使用の目的、利便性、用途、或いは各人の好み等を、達成可能なリュックサックを提供する。
【０００５】
即ち、本考案は、使用の利便性、用途、防犯性とか、各人の好み等により、特出した形態を提供する。
【課題を解決するための手段】
【０００６】
上記目的達成であって、上蓋部の構造と、側面側に設けたポケット（脇ポケット）のファスナーに防犯性を持たせる構造を提供する。そのための手段として、請求項１−４を開示する。
【考案の効果】
【０００７】
請求項１の考案は、袋部と、袋部の上端開口を開閉する上蓋部と、上端開口、及び上蓋部の間に設けた第１ファスナーでなるリュックサックにおいて、
上蓋部の支点側は、袋部の反背中側に縫合し、縫合を反背中側に設け、
上蓋部は、支点側を基（支点軸）にして開放可能とすることを特徴としたリュックサックである。
【０００８】
従って、請求項１では、上蓋部の反背中側（一部とする）を、袋部の反背中側に縫合する構成であって、上蓋部は、反背中側を支点側として開放できる。即ち、第１ファスナーを、袋部の両側面側と背中側の上端開口に設けることで、両側面側と背中側の上端開口を開放できる。これにより、物品の取出しと収容に利便性を有すること、持ち主の手前側で出し入れができ重宝する。また、内容物を速やか、かつ確実に視認できる。背負った状態では、上蓋部に手を掛けなくても、上端開口の開口状態を維持できる。
【０００９】
請求項２の考案は、袋部の側面側に設けた第２・第３ポケットを開閉する第２・第３ファスナー、及び第２・第３スライダを、側面側と背中側との縫合部に設けるとともに、第２・第３スライダを、背中側に設けた二本のベルトの端部で隠蔽可能とすることを特徴としたリュックサックである。
【００１０】
従って、請求項２では、請求項１の目的達成と、第２・第３ポケットの防犯性の向上が図れる。
【００１１】
請求項３の考案は、上蓋部の反支点側の表面側に、開閉用の第４ファスナーを設け、第４ファスナーの開閉で、上蓋部に設けた第４ポケットを開閉可能とすることを特徴としたリュックサックである。
【００１２】
従って、請求項３では、請求項１の目的達成と、第４ポケットの容易な開閉が図れる。
【００１３】
請求項４の考案は、上蓋部の裏面側に、開閉用の第５ファスナーを設け、第５ファスナーの開閉で、上蓋部の裏面側に設けた第５ポケットを開閉可能とすることを特徴としたリュックサックである。
【００１４】
従って、請求項４では、請求項１の目的達成と、第５ポケットの容易な開閉が図れる。
【図面の簡単な説明】
【００１５】
【図１】リュックサックを前側より見た一部欠截の俯瞰図
【図２】リュックサックを背中側より見た俯瞰図
【図３】リュックサックの上蓋部の反支点側の第３ファスナーを開放した状態の俯瞰図
【図４】リュックサックの上蓋部を開放した状態の一部欠截の俯瞰図
【図５】リュックサックの側面側の第３ポケットの第３スライダを隠蔽するベルトの端部を開けた状態の俯瞰図
【図６】リュックサックの背中側より見た俯瞰図
【図７】リュックサックを抱持し上蓋部を開放し、例えば、袋部の物品を確認している状態の俯瞰図
【図８】リュックサックを肩に掛けた状態で、例えは、ベルトにメガネを支持する状態の縮尺模式図
【図９】リュックサックを肩に掛けた状態で、例えは、横紐を掛け止めする状態の模式図
【図１０】リュックサックをキャリーバックのハンドルレバーに係止した状態の縮尺俯瞰図
【考案を実施するための形態】
【００１６】
本考案の好ましい、一実施例を説明する。この一実施例は、好ましい、一例であり、限定されない。
【００１７】
リュックサック１の要部の一例（以下、省略する）は、内部に多数のポケット（符号なし）を備えた有底２００の袋部２と、袋部２の上端開口２０１を開閉する上蓋部３と、この上蓋部３に設けられ、かつ例えば（以下、省略する）、第４・第５ファスナー３０１、３０４で開閉される第４・第５ポケット３００、３０３と、前記上端開口２０１（袋部２）の上縁２ａ、及び上蓋部３の下縁３ａ間に設けた第１ファスナー５とでなる。
【００１８】
袋部２の左右の両側面側２ｂ、２ｃには、第２・第３ポケット２０２、２０５を備えている。そのために、この第２・第３ポケット２０２、２０５を開閉する第２・第３ファスナー２０３、２０６、及び第２・第３スライダ２０４、２０７を備える。この第２・第３ポケット２０２、２０５を開閉する第２・第３ファスナー２０３、２０６は、袋部２の左右の側面側２ｂ、２ｃと、背中側２ｄの両端部２ｄ１、２ｄ２の縫合部（繋ぎ目）であって、縦方向に設けられている。そして、この第２・第３ファスナー２０３、２０６の第２・第３スライダ２０４、２０７は、背中側２ｄに設けた二本のベルト６、７の端部６ａ、７ａで隠蔽される。これにより、第２・第３ポケット２０２、２０５の防犯性が向上する。前記端部６ａ、７ａは、別パーツの布地でも可能である。
【００１９】
上蓋部３には、その表裏面側３ｂ、３ｃに、第４・第５スライダ３０２、３０５を備えた第４・第５ファスナー３０１、３０４を設ける。従って、上蓋部３には、中間仕切り布（図示せず）を介して設けた第４・第５ポケット３００、３０３が形成される。即ち、上蓋部３の支点側３ｄの反対側には、第４ファスナー３０１がある。従って、第４ファスナー３０１を開放することで、表面３ｂの（上側の）第４ポケット３００が解放される。また、第５ファスナー３０４を開放することで、裏面３ｃの（下側の）第５ポケット３０３が解放される。即ち、上蓋部３には、二つの部屋となる第４ポケット３００と、第５ポケット３０３が形成される。尚、この上蓋部３の支点側３ｄは、袋部２の反背中側２ｄｄに縫合する。この縫合を反背中側２ｄｄに設けることが、本考案の特徴である。図４とか、図７等に示すように、上蓋部３を、支点側３ｄ（縫合）を起点にし、人の胸前方向に向かって、開放することで、上蓋部３は、片方の手で、容易、かつ素早く、袋体２の上端から離れる。この所作で、上端開口２０１が解放される（図７の状態）。従って、上蓋部３は、人への負担とならず、かつ邪魔とならないことと、収容物品の確認所作、又は物品取出し、更には物品収容等の所作の容易性と、所作の間違い等もなく有意義である。
【００２０】
尚、図１の如く、袋部２の反背中側２ｄｄには、複数の第６ポケット１０−第８ポケット１４を備える。また、第６ポケット１０−第８ポケット１４は、それぞれ第６ファスナー１１−第８ファスナー１５で開閉される。また前述したように袋部２内の複数のポケットは符号を付さない。図中１２は第７ポケット、１３は第７ファスナーを示す。
【００２１】
本考案の使用態様は、図７−図１０に示すような一例があり、原則として、従来と略同じある。但し、図７とか、図５等において、特異性を有する。
【００２２】
前述した各実施例等は、本考案の好ましい一例の説明である。各実施例とか図面に限定されない。従って、考案の趣旨の範囲において構成の一部を変更する構造とか、同じ特徴と効果を達成できる構造、等は、本考案の範疇である。
【符号の説明】
【００２３】
１  リュックサック
２  袋部
２ａ  上縁
２ｂ  側面側
２ｃ  側面側
２ｄ  背中側
２ｄ１  端部
２ｄ２  端部
２ｄｄ  反背中側
２００  有底
２０１  上端開口
２０２  第２ポケット
２０３  第２ファスナー
２０４  第２スライダ
２０５  第３ポケット
２０６  第３ファスナー
２０７  第３スライダ
３  上蓋部
３ａ  下縁
３ｂ  表面
３ｃ  裏面
３ｄ  支点側
３００  第４ポケット
３０１  第４ファスナー
３０２  第４スライダ
３０３  第５ポケット
３０４  第５ファスナー
３０５  第５スライダ
５  第１ファスナー
６  ベルト
６ａ  端部
７  ベルト
７ａ  端部
８  横紐
１０  第６ポケット
１１  第６ファスナー
１２  第７ポケット
１３  第７ファスナー
１４  第８ポケット
１５  第８ファスナー
【図１】
0003218659.tif 000003
【図２】
0003218659.tif 000004
【図３】
0003218659.tif 000005
【図４】
0003218659.tif 000006
【図５】
0003218659.tif 000007
【図６】
0003218659.tif 000008
【図７】
0003218659.tif 000009
【図８】
0003218659.tif 000010
【図９】
0003218659.tif 000011
【図１０】
0003218659.tif 000012